(57)【要約】【課題】ヘッドホン装置を装着したユーザを特定し、ユーザに応じて音質調整を自動的に実行可能なヘッドホン装置およびワイヤレスヘッドホンシステムを提供する。【解決手段】ワイヤレスヘッドホン装置において、音質調整手段（イコライザ）と、ユーザ認証情報と音質調整情報とを対応させて格納可能な記憶手段と、認証情報を取得する認証情報取得手段と、認証情報取得手段により取得された認証情報が記憶手段に格納されているかを判定するユーザ認証手段と、を設け、音質調整手段は、ユーザ認証手段によってユーザ認証された場合に、当該認証情報に対応する音質調整情報に基づいて音声信号の周波数特性を補正するようにした。【選択図】図３
2008182509.tif 000002
【特許請求の範囲】
【請求項１】
無線通信により送信された音声信号を受信可能な受信手段と、
受信された音声信号に基づく音声を出力する音声出力手段と、
複数の周波数帯域においてそれぞれ信号レベルを調節して受信した音声信号の周波数特性を補正可能な音質調整手段と、
当該ヘッドホン装置を装着するユーザを特定するための認証情報と前記音質調整手段により利用される音質調整情報とを対応させて格納可能な記憶手段と、
前記認証情報を取得する認証情報取得手段と、
前記認証情報取得手段により取得された認証情報が前記記憶手段に格納されているかを判定するユーザ認証手段と、
前記音質調整情報を入力するための音質調整情報入力手段と、を備えたヘッドホン装置であって、
前記認証情報取得手段は、ユーザの指紋情報を画像として取得する指紋認証情報取得手段、または、ユーザの体の特定部位が接触される部分に設けられた少なくとも一対の電極間の生体インピーダンスを測定する生体インピーダンス取得手段であり、
前記音質調整手段は、前記ユーザ認証手段によって前記認証情報取得手段で取得された認証情報が前記記憶手段に格納されていると判定された場合に、当該認証情報に対応する音質調整情報に基づいて前記音声信号の周波数特性を補正し、
前記記憶手段は、前記ユーザ認証手段によって前記認証情報取得手段で取得された認証情報が前記記憶手段に格納されていないと判定された場合に当該認証情報と現在の音質調整情報を対応させて格納するとともに、前記音質調整情報入力手段により音質調整情報が変更された場合に格納されている音質調整情報を変更可能であることを特徴とするヘッドホン装置。
【請求項２】
無線通信により送信された音声信号を受信可能な受信手段と、
受信された音声信号に基づく音声を出力する音声出力手段と、
複数の周波数帯域においてそれぞれ信号レベルを調節して受信した音声信号の周波数特性を補正可能な音質調整手段と、
当該ヘッドホン装置を装着するユーザを特定するための認証情報と、前記音質調整手段により利用される音質調整情報と、を対応させて格納可能な記憶手段と、
前記認証情報を取得する認証情報取得手段と、
前記認証情報取得手段により取得された認証情報が前記記憶手段に格納されているかを判定するユーザ認証手段と、を備えたヘッドホン装置であって、
前記音質調整手段は、
前記ユーザ認証手段によって前記認証情報取得手段で取得された認証情報が前記記憶手段に格納されていると判定された場合に、当該認証情報に対応する音質調整情報に基づいて前記音声信号の周波数特性を補正することを特徴とするヘッドホン装置。
【請求項３】
前記記憶手段は、前記ユーザ認証手段によって前記認証情報取得手段で取得された認証情報が前記記憶手段に格納されていないと判定された場合に、当該認証情報と現在の音質調整情報を対応させて格納することを特徴とする請求項２に記載のヘッドホン装置。
【請求項４】
前記音質調整情報を入力するための音質調整情報入力手段を有し、
前記記憶手段は、前記音質調整情報入力手段により音質調整情報が変更された場合に、格納されている音質調整情報を変更可能であることを特徴とする請求項２または３に記載のヘッドホン装置。
【請求項５】
前記認証情報取得手段は、ユーザの指紋情報を画像として取得する指紋認証情報取得手段であることを特徴とする請求項２から４のいずれか一項に記載のヘッドホン装置。
【請求項６】
前記認証情報取得手段は、ユーザの体の特定部位が接触される部分に設けられた少なくとも一対の電極間の生体インピーダンスを測定する生体インピーダンス取得手段であることを特徴とする請求項２から４のいずれか一項に記載のヘッドホン装置。
【請求項７】
請求項２から６のいずれか一項に記載のヘッドホン装置と、音声信号を無線通信により送信可能な音声信号送信装置と、を備えて構成されることを特徴とするワイヤレスヘッドホンシステム。
【請求項８】
無線通信により送信された音声信号を受信可能な音声信号受信手段と、受信された音声信号に基づく音声を出力する音声出力手段と、当該ヘッドホン装置を装着するユーザを特定するための認証情報を取得する認証情報取得手段と、該認証情報取得手段により取得された認証情報を送信する認証情報送信手段と、を有するヘッドホン装置と、
音声信号を無線通信により送信可能な音声信号送信手段と、複数の周波数帯域においてそれぞれ信号レベルを調節して送信する音声信号の周波数特性を補正可能な音質調整手段と、前記ヘッドホン装置から送信された認証情報を受信可能な認証情報受信手段と、前記認証情報と前記音質調整手段により利用される音質調整情報とを対応させて格納可能な記憶手段と、前記認証情報受信手段により受信された認証情報が前記記憶手段に格納されているかを判定するユーザ認証手段と、前記音質調整情報を入力するための音質調整情報入力手段と、を有する音声信号送信装置と、
を備えて構成されるワイヤレスヘッドホンシステムであって、
前記認証情報取得手段は、ユーザの指紋情報を画像として取得する指紋認証情報取得手段、または、ユーザの体の特定部位が接触される部分に設けられた少なくとも一対の電極間の生体インピーダンスを測定する生体インピーダンス取得手段であり、
前記音質調整手段は、前記ユーザ認証手段によって前記認証情報取得手段で取得された認証情報が前記記憶手段に格納されていると判定された場合に、当該認証情報に対応する音質調整情報に基づいて前記音声信号の周波数特性を補正し、
前記記憶手段は、前記ユーザ認証手段によって前記認証情報取得手段で取得された認証情報が前記記憶手段に格納されていないと判定された場合に、当該認証情報と現在の音質調整情報を対応させて格納するとともに、前記音質調整情報入力手段により音質調整情報が変更された場合に、格納されている音質調整情報を変更可能であることを特徴とするワイヤレスヘッドホンシステム。
【請求項９】
無線通信により送信された音声信号を受信可能な音声信号受信手段と、受信された音声信号に基づく音声を出力する音声出力手段と、当該ヘッドホン装置を装着するユーザを特定するための認証情報を取得する認証情報取得手段と、該認証情報取得手段により取得された認証情報を送信する認証情報送信手段と、を有するヘッドホン装置と、
音声信号を無線通信により送信可能な音声信号送信手段と、複数の周波数帯域においてそれぞれ信号レベルを調節して送信する音声信号の周波数特性を補正可能な音質調整手段と、前記ヘッドホン装置から送信された認証情報を受信可能な認証情報受信手段と、前記認証情報と前記音質調整手段により利用される音質調整情報とを対応させて格納可能な記憶手段と、前記認証情報受信手段により受信された認証情報が前記記憶手段に格納されているかを判定するユーザ認証手段と、を有する音声信号送信装置と、
を備えて構成されるワイヤレスヘッドホンシステムであって、
前記音質調整手段は、前記ユーザ認証手段によって、前記認証情報取得手段で取得された認証情報が前記記憶手段に格納されていると判定された場合に、当該認証情報に対応する音質調整情報に基づいて前記音声信号の周波数特性を補正することを特徴とするワイヤレスヘッドホンシステム。
【請求項１０】
前記記憶手段は、前記ユーザ認証手段によって前記認証情報取得手段で取得された認証情報が前記記憶手段に格納されていないと判定された場合に、当該認証情報と現在の音質調整情報を対応させて格納することを特徴とする請求項９に記載のワイヤレスヘッドホンシステム。
【請求項１１】
前記音声信号送信装置は、前記音質調整情報を入力するための音質調整情報入力手段を有し、
前記記憶手段は、前記音質調整情報入力手段により音質調整情報が変更された場合に、格納されている音質調整情報を変更可能であることを特徴とする請求項９または１０に記載のワイヤレスヘッドホンシステム。
【請求項１２】
前記認証情報取得手段は、ユーザの指紋情報を画像として取得する指紋認証情報取得手段であることを特徴とする請求項９から１１のいずれか一項に記載のワイヤレスヘッドホンシステム。
【請求項１３】
前記認証情報取得手段は、ユーザの体の特定部位が接触する部分に設けられた少なくとも一対の電極間の生体インピーダンスを測定する生体インピーダンス取得手段であることを特徴とする請求項９から１１のいずれか一項に記載のワイヤレスヘッドホンシステム。
【発明の詳細な説明】
【技術分野】
【０００１】
本発明は、ヘッドホン装置およびワイヤレスヘッドホンシステムに関し、特に、ヘッドホン装置を装着したユーザを認証（特定）し、ユーザごとに設定された音質調整情報に基づいて自動的に音質を変更可能な技術に関する。
【背景技術】
【０００２】
近年、無線通信技術の発達に伴い、例えば、ＤＶＤプレイヤー等の映像音声再生装置とテレビジョン受像機等の映像音声出力装置を無線接続（例えば、無線ＬＡＮ）した無線ホームネットワークシステムや、音声再生装置とヘッドホン装置を無線接続（例えば、赤外線通信）したワイヤレスヘッドホンシステムが普及してきている。
【０００３】
例えば、特許文献１には、無線通信機能を有するヘッドセットと移動通信端末のような外部機器との間で無線通信を行うシステムが開示されている。このようなワイヤレスヘッドホンシステムによれば、外部機器とヘッドセットを接続するのに煩わしいコードを要しないため、ユーザは動きを制限されないという利点がある。
【０００４】
また、ワイヤレスヘッドホンシステムにおいては、ユーザは居場所を制限されず、音声再生装置から離れることも可能となるため、音声再生装置側だけでなく、ヘッドホン装置側でも調整可能とすることが好ましい機能もある。例えば、特定の周波数帯域において信号レベルを調節して音声信号の周波数特性を補正するイコライザ機能や音量調節機能などが考えられる。
【０００５】
特許文献２には、ヘッドホン装置による音量調節に関する技術として、ヘッドホン周辺の騒音の大きさにより、ヘッドホンに入力される信号の音量を自動的に調節可能なヘッドホンが開示されている。
【特許文献１】特開２００４−２７４１３８号公報
【特許文献２】特開平７−３２７３００号公報
【発明の開示】
【発明が解決しようとする課題】
【０００６】
上述したように、ヘッドホン装置にイコライザ機能や音量調節機能を内蔵することは有効であるが、ユーザごとに音質や音量の好みは異なるため、例えばヘッドホン装置を使用するときにユーザがこれらを調整する必要がある。
【０００７】
特に、イコライザ機能は、特定の周波数帯域ごとに信号レベルを調節しなければならないために、設定が複雑であり、ユーザがヘッドホン装置を使用する度に所望の設定に戻すのは困難である。
【０００８】
本発明は、ヘッドホン装置を装着したユーザを特定し、ユーザに応じて音質調整を自動的に実行可能なヘッドホン装置およびワイヤレスヘッドホンシステムを提供することを特徴とする。
【課題を解決するための手段】
【０００９】
本発明は、上記目的を達成するためになされたもので、無線通信により送信された音声信号を受信可能な受信手段と、受信された音声信号に基づく音声を出力する音声出力手段と、複数の周波数帯域においてそれぞれ信号レベルを調節して受信した音声信号の周波数特性を補正可能な音質調整手段（イコライザ）と、当該ヘッドホン装置を装着するユーザを特定するための認証情報と前記音質調整手段により利用される音質調整情報とを対応させて格納可能な記憶手段と、前記認証情報を取得する認証情報取得手段と、前記認証情報取得手段により取得された認証情報が前記記憶手段に格納されているかを判定するユーザ認証手段と、を備えたヘッドホン装置であって、前記音質調整手段は、前記ユーザ認証手段によって前記認証情報取得手段で取得された認証情報が前記記憶手段に格納されていると判定された場合に、当該認証情報に対応する音質調整情報に基づいて前記音声信号の周波数特性を補正することを特徴とする。
【００１０】
また、前記記憶手段は、前記ユーザ認証手段によって前記認証情報取得手段で取得された認証情報が前記記憶手段に格納されていないと判定された場合に、当該認証情報と現在の音質調整情報を対応させて格納することを特徴とする。これにより、新規な認証情報が取得（入力）された場合には、自動的に新規ユーザ登録がなされることとなる。
【００１１】
さらに、前記音質調整情報を入力するための音質調整情報入力手段を有し、前記記憶手段は、前記音質調整情報入力手段により音質調整情報が変更された場合に、格納されている音質調整情報を変更可能であることを特徴とする。これにより、ユーザごとに対応した音質調整情報を随時更新することができる。例えば、ユーザによって音質調整情報が変更されたときに自動的に更新するようにしてもよいし、音質調整情報を更新するための操作キーを設け、このキーが操作されたときに音質調整情報を更新するようにしてもよい。
【００１２】
具体的には、前記認証情報取得手段は、ユーザの指紋情報を画像として取得する指紋認証情報取得手段であることを特徴とする。これにより、ヘッドホン装置を装着しているユーザの認証を確実に行うことができる。
【００１３】
または、前記認証情報取得手段は、ユーザの体の特定部位と接触する部分（例えば、耳に当接するイヤーパッド）に設けられた少なくとも一対の電極間の生体インピーダンスを測定する生体インピーダンス取得手段（体脂肪計の原理と同じ）であることを特徴とする。これにより、ヘッドホン装置が装着されると自動的に生体インピーダンスが測定され、ユーザ認証が行われることとなる。なお、ユーザの生体インピーダンス（または生体インピーダンスに基づいて算出される体脂肪率等）は常に同じ値にはならないので、測定された生体インピーダンス（或いは体脂肪率）が基準値（例えば、初期登録値）に対して所定の範囲内にある場合に、特定のユーザとして認証するようにしてもよい。
【００１４】
また、ヘッドホン装置と音声信号送信装置とを備えて構成されるワイヤレスヘッドホンシステムにおいて、ヘッドホン装置を装着しているユーザを音声信号送信装置側で特定して、当該ユーザに対応する音質調整を実行させるようにすることもできる。
【００１５】
すなわち、無線通信により送信された音声信号を受信可能な音声信号受信手段と、受信された音声信号に基づく音声を出力する音声出力手段と、当該ヘッドホン装置を装着するユーザを特定するための認証情報を取得する認証情報取得手段と、該認証情報取得手段により取得された認証情報を送信する認証情報送信手段と、を有するヘッドホン装置と、音声信号を無線通信により送信可能な音声信号送信手段と、複数の周波数帯域においてそれぞれ信号レベルを調節して送信する音声信号の周波数特性を補正可能な音質調整手段と、前記ヘッドホン装置から送信された認証情報を受信可能な認証情報受信手段と、前記認証情報と前記音質調整手段により利用される音質調整情報とを対応させて格納可能な記憶手段と、前記認証情報受信手段により受信された認証情報が前記記憶手段に格納されているかを判定するユーザ認証手段と、を有する音声信号送信装置と、を備えて構成されるワイヤレスヘッドホンシステムであって、前記音質調整手段は、前記ユーザ認証手段によって前記認証情報取得手段で取得された認証情報が前記記憶手段に格納されていると判定された場合に、当該認証情報に対応する音質調整情報に基づいて前記音声信号の周波数特性を補正することを特徴とする。
【００１６】
また、前記記憶手段は、前記ユーザ認証手段によって前記認証情報取得手段で取得された認証情報が前記記憶手段に格納されていないと判定された場合に、当該認証情報と現在の音質調整情報を対応させて格納することを特徴とする。これにより、新規な認証情報が取得（入力）された場合には、自動的に新規ユーザ登録がなされることとなる。
【００１７】
さらに、前記音声信号送信装置は、前記音質調整情報を入力するための音質調整情報入力手段を有し、前記記憶手段は、前記音質調整情報入力手段により音質調整情報が変更された場合に、格納されている音質調整情報を変更可能であることを特徴とする。これにより、ユーザごとに対応した音質調整情報を随時更新することができる。
【００１８】
具体的には、前記認証情報取得手段は、ユーザの指紋情報を画像として取得する指紋認証情報取得手段であることを特徴とする。これにより、ヘッドホン装置を装着しているユーザの認証を確実に行うことができる
【００１９】
または、前記認証情報取得手段は、ユーザの体の特定部位と接触される部分（例えば、耳に当接するイヤーパッド）に設けられた少なくとも一対の電極間の生体インピーダンスを測定する生体インピーダンス取得手段（体脂肪計の原理と同じ）であることを特徴とする。これにより、ヘッドホン装置が装着されると自動的に生体インピーダンスが測定され、ユーザ認証が行われることとなる。
【発明の効果】
【００２０】
本発明によれば、ワイヤレスヘッドホンシステムにおいて、ヘッドホン装置を装着したユーザの認証情報（例えば、指紋認証情報や生体インピーダンス情報（体脂肪率））を取得することで当該ユーザを簡単かつ確実に特定し、それぞれのユーザに対応する音質調整情報に基づいて自動的に音質調整を行うようにしたので、ユーザがヘッドホン装置を装着する度に面倒な設定を行わなくても所望の音質で音声を出力させることができる。
【発明を実施するための最良の形態】
【００２１】
以下、本発明の実施の形態について図面を参照して説明する。
（第１の実施形態）
図１は第１実施形態に係るワイヤレスヘッドホンシステムの概略構成図である。
【００２２】
本実施形態のワイヤレスヘッドホンシステムは、ＣＤプレイヤー等の音声再生装置３０に接続された音声信号送信装置２０と、ヘッドホン装置１０で構成される。
【００２３】
音声信号送信装置２０は、音声再生装置３０から出力された音声信号（左右の音声信号）をディジタル変調し、この変調した信号を無線通信（例えば、無線ＬＡＮ）によりヘッドホン装置１０に送信する。
【００２４】
ヘッドホン装置１０は、音声信号送信装置２０から送信された音声信号を受信し、これをディジタル復調した音声信号を後述するスピーカ（音声出力部）１０８から出力する。例えば、ヘッドホン装置１０は、スピーカユニットが内蔵されたハウジング１２Ｌ、１２ＲがＵ字状ヘッドレスト１１の両端に設けられてなる。また、後述する液晶表示部１１３、操作キー１１２、認証情報入力部１１１が配置された操作ユニット１３により、音声信号送信装置２０からの音声信号を受信するとともに、音質調整等の信号処理を施して音声を出力する。
【００２５】
次に、本実施形態のワイヤレスヘッドホンシステムを構成する音声信号送信装置２０およびヘッドホン装置１０の具体的な構成に説明する。
【００２６】
図２は、第１実施形態の音声信号送信装置２０の主要機能を示すブロック図である。図２に示すように、音声信号送信装置２０は、音声再生装置３０からの音声信号（例えば、アナログ信号）を入力可能な音声信号入力端子２０１と、Ａ/Ｄ変換部２０２と、コーデック（エンコーダ）２０３と、ＢＢ/ＭＡＣ処理部２０４と、ＲＦ部２０５と、アンテナ２０６と、制御部２０７と、を備える。
【００２７】
Ａ／Ｄ変換部２０２は、音声信号入力端子２０１を介して入力されたアナログ信号をディジタル信号に変換する。コーデック２０３は、ディジタル信号に符号化処理を行う。ベースバンド（ＢＢ）／ＭＡＣ処理部２０４は、ディジタル信号に対してネットワークの物理的な接続・伝送方式に関する処理や、フレームの送受信方法やフレームの形式等の伝送制御に関するプロトコル処理を行う。また、ＢＢ／ＭＡＣ処理部２０４ではディジタル変調処理が行われる。ＲＦ部２０５は、アンテナ２０６を介してヘッドホン装置１０にＲＦ信号を送信する。例えば、中心周波数が２．４１２ＧＨｚの周波数帯域の無線伝送路を介してＲＦ信号を送信する。
【００２８】
制御部２０７は、例えば、図示しないＣＰＵと、ＣＰＵの作業用メモリとして用いられるＲＡＭと、ＣＰＵで実行される制御用プログラム等が記録されたＲＯＭと、で構成され、各ブロックの制御および所定の演算を行い音声信号送信装置２０の動作を制御する。
【００２９】
図３は、第１実施形態のヘッドホン装置１０の主要機能を示すブロック図である。図３に示すように、ヘッドホン装置１０は、アンテナ１０１と、ＲＦ部１０２と、ＢＢ／ＭＡＣ処理部１０３と、コーデック（デコーダ）１０４と、Ｄ／Ａ変換部１０５と、アナログイコライザ１０６と、アンプ１０７と、スピーカ１０８と、制御部１０９と、記憶部１１０と、認証情報入力部１１１と、音質調整情報入力部１１２と、液晶表示部１１３と、を備える。
【００３０】
ＲＦ部１０２は、アンテナ１０１を介して音声信号送信装置２０からのＲＦ信号を受信する。ＢＢ／ＭＡＣ処理部１０３は、ＲＦ信号にディジタル復調処理を行うとともに、プロトコル処理および物理的な接続・伝送方式に関する処理を行う。コーデック１０４は、ディジタル信号に複合化処理を行う。例えば、本実施形態におけるＲＦ部１０２およびＢＢ／ＭＡＣ処理部１０３、およびコーデック１０４で、無線通信により送信された音声信号を受信可能な受信手段が構成される。
【００３１】
Ｄ／Ａ変換部１０５は、ディジタル信号をアナログ信号に変換する。アナログイコライザ１０６は、複数の周波数帯域においてそれぞれ信号レベルを調節してアナログ音声信号の周波数特性を補正する（音質調整手段）。アンプ１０７は、音質調整されたアナログ音声信号を増幅する。スピーカ１０８は、アナログ音声信号を出力する（音声出力手段）。
【００３２】
制御部１０９は、例えば、図示しないＣＰＵと、ＣＰＵの作業用メモリとして用いられるＲＡＭと、ＣＰＵで実行される制御用プログラム等が記録されたＲＯＭと、で構成され、各ブロックの制御および所定の演算を行いヘッドホン装置１０の動作を制御する。
【００３３】
記憶部１１０は、例えば、ヘッドホン装置１０を装着するユーザを特定するための認証情報とアナログイコライザ１０６における音質調整に利用される音質調整情報とを対応させて格納される。認証情報入力部１１１は、ユーザの認証情報として、例えば、ユーザの指紋画像を取得する（認証情報取得手段、指紋認証情報取得手段）。つまり、本実施形態では、ユーザを特定するための認証情報としての指紋画像情報（指紋認証情報）と音質調整情報とが一対一で記憶部１１０に格納されている。
【００３４】
音質調整情報入力部１１２は、例えば、上下左右の方向キーと決定キー等を備えた操作キーで構成されており（図１参照）、アナログイコライザ１０６における音質調整に利用される音質調整情報を入力することができる（音質調整情報入力手段）。液晶表示部１１３は、各種情報を表示可能で、例えば、複数に分割されたそれぞれの周波数帯域における信号レベルを表示した音質調整画面を表示する。この音質調整画面において、音質調整情報入力部１１２の操作キーを操作することにより、特定の周波数帯域における信号レベルを変更することができ、すなわち、音質調整情報が変更される。
【００３５】
本実施形態では、制御部１０９は、認証情報入力部１１１により入力（取得）された指紋認証情報と記憶部１１０に格納されている指紋認証情報を比較して、入力された指紋認証情報が記憶部１１０にすでに格納されているか判定するユーザ認証手段として機能する。また、ユーザ認証手段としての制御部１０９によりユーザが認証された場合に、音質調整手段としてのアナログイコライザ１０６は、当該ユーザに対応する音声調整情報を記憶部１１０から読み出して、これに基づいて音声信号の周波数特性を補正する。
【００３６】
図４は、第１実施形態のヘッドホン装置１０において実行されるイコライザ設定処理（音質調整処理）について示したフローチャートである。例えば、制御部１０９により所定のプログラムが実行されることにより実現される。
【００３７】
まず、ステップＳ１０１でヘッドホン装置１０の電源が投入されているか判定する。なお、ヘッドホン装置１０にユーザが装着したことを検知可能なセンサを設け、ユーザがヘッドホン装置１０を装着することに基づいて自動的に電源が投入されるようにしてもよい。
【００３８】
次いで、ステップＳ１０１でヘッドホン装置１０の電源が投入されていると判定した場合は、認証情報が取得されたか判定する（ステップＳ１０２）。つまり、ステップＳ１０２では、ユーザにより指紋認証情報が入力されたか判定する。
【００３９】
次いで、ステップＳ１０２で指紋認証情報が入力されたと判定した場合は、入力（取得）された指紋認証情報と記憶部１１０に格納されている指紋認証情報を比較して、入力された指紋認証情報が記憶部１１０にすでに格納されているか判定する判定する（ステップＳ１０３）。つまり、ステップＳ１０３では、指紋認証情報を入力したユーザ（ヘッドホン装置１０を装着しているユーザ）が、当該ユーザ用に音質調整情報を記憶部１１０に格納されている正規のユーザであるか判定する。本実施形態では、認証情報として指紋認証情報を利用しているので、ユーザを確実に認証することができる。
【００４０】
次いで、ステップＳ１０３でユーザ認証できたと判定した場合は、当該ユーザ用の音質調整情報を取得し（ステップＳ１０４）、アナログイコライザ１０６において音質調整を行う（ステップＳ１０５）。なお、この音質調整情報は、前記ユーザの指紋認証情報に対応させて記憶部１１０に格納されている。
【００４１】
一方、ステップＳ１０３でユーザ認証できないと判定された場合は、当該ユーザ用の音質調整情報はまだ記憶部１１０に格納されていないこととなるので、このユーザの指紋認証情報と現在の音質調整情報（初期設定）を新規に登録する（ステップＳ１０４）。つまり、ステップＳ１０４では、新規な認証情報が取得された場合に自動的に新規ユーザ登録がなされるので、このユーザがヘッドホン装置１０を次に装着するときには、このとき登録された音質調整情報を利用して音質調整を行うことができるようになる。
【００４２】
なお、ユーザが認証を受けるためではなく、認証情報入力部１１１から誤って指紋認証情報が入力された場合にも新規ユーザ登録される虞があるので、認証情報入力部１１１から指紋認証情報を入力可能な状態（例えば、液晶表示部１１３に認証情報入力画面を表示させた状態）で、指紋認証情報を入力させるのが望ましい。また、入力された指紋認証情報が正確に認識できない場合（入力エラー）には、再度入力を促すようにしてもよい。
【００４３】
次いで、ステップＳ１０６では、イコライザ画面が表示された状態における音質調整情報入力部１１２の操作に基づいて音質設定が変更されたか判定する。そして、音質設定が変更されたと判定した場合は、記憶部１１０に格納されている当該ユーザの音質調整情報を更新する（ステップＳ１０７）とともに、変更された音質調整情報に基づいて音質調整を行う（ステップＳ１０５）。これにより、ユーザは意図することなくユーザごとに対応した音質調整情報を随時更新することができるので、現時点で最適なものと感じている音質設定が誤って消失されるのを防止できる。なお、自動的に音質調整情報を更新するのではなく、音質調整情報を更新するための操作キーを設け、このキーが操作されたときに音質調整情報更新するようにしてもよい。
【００４４】
このように、本実施形態によれば、ヘッドホン装置１０において、ヘッドホン装置１０を装着したユーザの認証情報（例えば、指紋認証情報）を取得することで当該ユーザを簡単且つ確実に特定し、それぞれのユーザに対応する音質調整情報に基づいて自動的に音質調整が行われるので、ユーザがヘッドホン装置を装着するたびに面倒な音質声設定を行わなくても所望の音質で音声を出力させることができる。
【００４５】
（第２の実施形態）
図５は、第２実施形態に係るワイヤレスヘッドホンシステムの概略構成図である。第１実施形態では、認証情報の入力、ユーザ認証、および認証されたユーザに対応する音質調整をヘッドホン装置１０で行うのに対して、第２実施形態では、認証情報入力をヘッドホン装置１０’で行い、ユーザ認証および認証されたユーザに対応する音質調整を音声信号送信装置２０’で行う点が異なる。つまり、第２実施形態では、ヘッドホン装置１０’ではなく、音声信号送信装置２０’に音質調整手段を有するワイヤレスヘッドホンシステムを想定している。
【００４６】
本実施形態のワイヤレスヘッドホンシステムは、ＣＤプレイヤー等の音声再生装置３０に接続された音声信号送信装置２０’と、ヘッドホン装置１０’で構成される。
【００４７】
音声信号送信装置２０’は、音声再生装置３０から出力された音声信号（左右の音声信号）をディジタル変調し、この変調した信号を無線通信（例えば、無線ＬＡＮ）によりヘッドホン装置１０’に送信する一方、ヘッドホン装置１０’から送信された認証情報を受信する。また、本実施形態では、音声信号送信装置２０’により音声信号に音質調整等の信号処理を施すようにしている。
【００４８】
ヘッドホン装置１０’は、音声信号送信装置２０’から送信された音声信号を受信し、これをディジタル復調した音声信号を後述するスピーカ（音声出力部）１０８から出力する。例えば、ヘッドホン装置１０’は、スピーカユニットが内蔵されたハウジング１２Ｌ、１２ＲがＵ字状ヘッドレスト１１の両端に設けられてなる。また、後述する液晶表示部１１３、操作キー（入力部）１１２、認証情報入力部１１１が配置された操作ユニット１３を備え、音声信号送信装置２０’からの音声信号を受信する一方、認証情報入力部１１１から入力された認証情報を音声信号送信装置２０’に送信する。
【００４９】
次に、本実施形態のワイヤレスヘッドホンシステムを構成する音声信号送信装置２０’およびヘッドホン装置１０’の具体的な構成に説明する。なお、第１実施形態と同じブロックについては同一の符号を付している。
【００５０】
図６は、音声信号送信装置２０’の主要機能を示すブロック図である。図６に示すように、音声信号送信装置２０’は、音声再生装置３０からの音声信号（例えば、アナログ信号）を入力可能な音声信号入力端子２０１と、Ａ/Ｄ変換部２０２と、コーデック（デコーダ／エンコーダ）２０３と、ＢＢ/ＭＡＣ処理部２０４と、ＲＦ部２０５と、アンテナ２０６と、制御部２０７と、記憶部２０８と、音質調整情報入力部２０９と、を備える。
【００５１】
Ａ／Ｄ変換部２０２は、音声信号入力端子２０１を介して入力されたアナログ信号をディジタル信号に変換する。コーデック２０３は、ディジタル信号に符号化／複合化処理を行う。本実施形態では、このコーデック２０３が音質調整手段としてのディジタルイコライザ機能を有し、複数の周波数帯域においてそれぞれ信号レベルを調節して送信する音声信号の周波数特性を補正する。
【００５２】
ベースバンド（ＢＢ）／ＭＡＣ処理部２０４は、ディジタル信号に対してネットワークの物理的な接続・伝送方式に関する処理や、フレームの送受信方法やフレームの形式等の伝送制御に関するプロトコル処理を行う。また、ＢＢ／ＭＡＣ処理部２０４ではディジタル変復調処理が行われる。ＲＦ部２０５は、アンテナ２０６を介してヘッドホン装置１０’にＲＦ信号を送信するとともに、ヘッドホン装置１０’からのＲＦ信号を受信する。例えば、中心周波数が２．４１２ＧＨｚの周波数帯域の無線伝送路を介してＲＦ信号を送受信する。
【００５３】
すなわち、本実施形態では、ＲＦ部２０５、ＢＢ／ＭＡＣ処理部２０４、およびコーデック２０３で、音声信号を無線通信により送信可能な音声信号送信手段と、ヘッドホン装置１０’から送信された認証情報を受信可能な認証情報受信手段が構成される。
【００５４】
制御部２０７は、例えば、図示しないＣＰＵと、ＣＰＵの作業用メモリとして用いられるＲＡＭと、ＣＰＵで実行される制御用プログラム等が記録されたＲＯＭと、で構成され、各ブロックの制御および所定の演算を行い音声信号送信装置２０の動作を制御する。
【００５５】
記憶部２０８は、例えば、ヘッドホン装置１０’を装着するユーザを特定するための認証情報とコーデック２０３における音質調整に利用される音質調整情報とを対応させて格納される。なお、本実施形態では、ユーザを特定するための認証情報は、ヘッドホン装置１０’から送信される。
【００５６】
音質調整情報入力部２０９は、例えば、上下左右の方向キーと決定キー等を備えた操作キーで構成されており、コーデック２０３における音質調整に利用される音質調整情報を入力することができる（音質調整情報入力手段）。液晶表示部２１０は、各種情報を表示可能で、例えば、複数に分割されたそれぞれの周波数帯域における信号レベルを表示した音質調整画面を表示する。この音質調整画面において、音質調整情報入力部２０９の操作キーを操作することにより、特定の周波数帯域における信号レベルを変更することができ、すなわち、音質調整情報が変更される。
【００５７】
本実施形態では、音声信号送信装置２０’において、制御部２０７は、ヘッドホン装置１０’から送信された指紋認証情報と記憶部１１０に格納されている指紋認証情報を比較して、入力された指紋認証情報が記憶部１１０にすでに格納されているか判定するユーザ認証手段として機能する。また、ユーザ認証手段としての制御部２０７によりユーザが認証された場合に、音質調整手段としてのコーデック２０３は、当該ユーザに対応する音声調整情報を記憶部２０８から読み出して、これに基づいて音声信号の周波数特性を補正する。
【００５８】
図７は、ヘッドホン装置１０’の主要機能を示すブロック図である。図７に示すように、ヘッドホン装置１０’は、アンテナ１０１と、ＲＦ部１０２と、ＢＢ／ＭＡＣ処理部１０３と、コーデック（エンコーダ／デコーダ）１０４と、Ｄ／Ａ変換部１０５と、アンプ１０７と、スピーカ１０８と、制御部１０９と、認証情報入力部１１１と、入力部１１２と、液晶表示部１１３と、を備える。
【００５９】
ＲＦ部１０２は、アンテナ１０１を介して音声信号送信装置２０’からのＲＦ信号を受信するとともに、音声信号送信装置２０’にＲＦ信号を送信する。ＢＢ／ＭＡＣ処理部１０３は、ＲＦ信号にディジタル変復調処理を行うとともに、プロトコル処理および物理的な接続・伝送方式に関する処理を行う。コーデック１０４は、ディジタル信号に複合化処理を行う。
【００６０】
すなわち、本実施形態では、ＲＦ部１０２、ＢＢ／ＭＡＣ処理部１０３、およびコーデック１０４で、無線通信により送信された音声信号を受信可能な音声信号受信手段と、後述する認証情報入力部１１１により入力された認証情報を送信する認証情報送信手段が構成される。
【００６１】
Ｄ／Ａ変換部１０５は、ディジタル信号をアナログ信号に変換する。アンプ１０７は、アナログ音声信号を増幅する。スピーカ１０８は、増幅されたアナログ音声信号を出力する（音声出力手段）。
【００６２】
制御部１０９は、例えば、図示しないＣＰＵと、ＣＰＵの作業用メモリとして用いられるＲＡＭと、ＣＰＵで実行される制御用プログラム等が記録されたＲＯＭと、で構成され、各ブロックの制御および所定の演算を行いヘッドホン装置１０の動作を制御する。
【００６３】
認証情報入力部１１１は、ユーザの認証情報として、例えば、ユーザの指紋画像を取得する（認証情報取得手段、指紋認証情報取得手段）。入力部１１２は、例えば、上下左右の方向キーと決定キー等を備えた操作キーで構成されており（図５参照）、音量等の調節をすることができる。液晶表示部１１３は、各種情報を表示可能で、例えば、ユーザ認証を行う際の認証画面等を表示する。
【００６４】
本実施形態では、ヘッドホン装置１０’において、認証情報入力部１１１から指紋認証情報が入力されると、この指紋認証情報を音声信号送信装置２０’に送信するようにしている（認証情報送信手段）。
【００６５】
図８は、ヘッドホン装置１０’において実行される認証情報送信処理について示したフローチャートである。例えば、制御部１０９により所定のプログラムが実行されることにより実現される。
【００６６】
まず、ステップＳ２０１で、ヘッドホン装置１０の電源が投入されているか判定する。なお、ヘッドホン装置１０’にユーザが装着したことを検知可能なセンサを設け、ユーザがヘッドホン装置１０’を装着することに基づいて自動的に電源が投入されるようにしてもよい。
【００６７】
次いで、ステップＳ２０１でヘッドホン装置１０’の電源が投入されていると判定した場合は、認証情報が取得されたか判定する（ステップＳ２０２）。つまり、ステップＳ２０２では、ユーザにより指紋認証情報が入力されたか判定する。
【００６８】
次いで、ステップＳ２０２で指紋認証情報が入力されたと判定した場合は、この認証情報に所定の符号化処理、プロトコル処理、変調処理等の信号処理を施して送信する（ステップＳ２０３）。
【００６９】
図９は、音声信号送信装置２０’において実行されるイコライザ設定処理（音質調整処理）について示したフローチャートである。例えば、制御部２０７により所定のプログラムが実行されることにより実現される。
【００７０】
まず、ステップＳ３０１で、ヘッドホン装置１０’からの認証情報を取得したか判定する。例えば、ＲＦ部２０５で受信したディジタル信号に所定の復調処理、プロトコル処理、複合化処理等の信号処理を施して認証情報を取得する。
【００７１】
次いで、ステップＳ３０１で認証情報を取得したと判定した場合は、取得した指紋認証情報と記憶部２０８に格納されている指紋認証情報を比較して、取得された指紋認証情報が記憶部２０８にすでに格納されているか判定する判定する（ステップＳ３０２）。つまり、ステップＳ３０２では、指紋認証情報を入力したユーザ（ヘッドホン装置１０を装着しているユーザ）が、当該ユーザ用に音質調整情報を記憶部２０８に格納されている正規のユーザであるか判定する。本実施形態では、認証情報として指紋認証情報を利用しているので、ユーザを確実に認証することができる。
【００７２】
次いで、ステップＳ３０２でユーザ認証できたと判定した場合は、当該ユーザ用の音質調整情報を取得し（ステップＳ３０３）、ディジタルイコライザを内蔵したコーデック２０３において音質調整を行う（ステップＳ３０４）。なお、この音質調整情報は、前記ユーザの指紋認証情報と対応させて記憶部２０８に格納されている。
【００７３】
一方、ステップＳ３０２でユーザ認証できないと判定された場合は、当該ユーザ用の音質調整情報はまだ記憶部２０８に格納されていないこととなるので、このユーザの指紋認証情報と現在の音質調整情報（初期設定）を新規に登録する（ステップＳ３０７）。つまり、ステップＳ３０７では、新規な認証情報が取得された場合に自動的に新規ユーザ登録がなされるので、このユーザがヘッドホン装置１０’を次に装着するときには、このとき登録された音質調整情報を利用して音質調整を行うことができるようになる。
【００７４】
なお、ユーザが認証を受けるためではなく、認証情報入力部１１１から誤って指紋認証情報が入力された場合にも新規ユーザ登録される虞があるので、認証情報入力部１１１から指紋認証情報を入力可能な状態（例えば、液晶表示部１１３に認証情報入力画面を表示させた状態）で、指紋認証情報を入力させるのが望ましい。また、入力された指紋認証情報が正確に認識できない場合（入力エラー）には、再度入力を促すようにしてもよい。
【００７５】
次いで、ステップＳ３０５では、液晶表示部２１０にイコライザ画面が表示された状態において、音質調整情報入力部２０９が操作されたかに基づいて、音質設定が変更されたか判定する。そして、ステップＳ３０５で音質設定が変更されたと判定した場合は、記憶部２０８に格納されている当該ユーザの音質調整情報を更新する（ステップＳ３０６）とともに、変更された音質調整情報に基づいて音質調整を行う（ステップＳ３０４）。これにより、ユーザは意図することなくユーザごとに対応した音質調整情報を随時更新することができるので、現時点で最適なものと感じている音質設定が誤って消失されるのを防止できる。なお、自動的に音質調整情報を更新するのではなく、音質調整情報を更新するための操作キーを設け、このキーが操作されたときに音質調整情報更新するようにしてもよい。
【００７６】
このように、本実施形態によれば、ヘッドホン装置１０’において、ヘッドホン装置１０’を装着したユーザの認証情報（例えば、指紋認証情報）を取得し、この取得した認証情報を音声信号送信装置２０’に送信し、音声信号送信装置２０’において、取得された認証情報に基づいて当該ユーザを簡単且つ確実に特定し、それぞれのユーザに対応する音質調整情報に基づいて自動的に音質調整が行われるので、ユーザがヘッドホン装置１０’を装着するたびに面倒な音質声設定を行わなくても所望の音質で音声を出力させることができる。
【００７７】
以上、本発明者によってなされた発明を実施形態に基づいて具体的に説明したが、本発明は上記実施形態に限定されるものではなく、その要旨を逸脱しない範囲で変更可能である。
【００７８】
上記実施形態では、液晶表示部１１３（２１０）に表示されたイコライザ画面において、音質調整情報入力手段としての操作キー１１２（２０９）を操作することで音質調整入力するように構成しているが、例えば、垂直または水平に摺動可能な複数のスライダで音質調整情報入力手段を構成し、複数に分割されたそれぞれの周波数帯域における信号レベルをスライダの状態により調整するようにしてもよい。
【００７９】
また、上記実施形態では、指紋認証を利用した認証情報取得手段について説明したが、認証情報取得手段として別の手法を利用するようにしてもよい。例えば、ユーザの体と当接する部分（例えば、耳に当接する左右のイヤーパッド）に、少なくとも一対の電極を組み込み、この電極間に電圧を印加したときの生体インピーダンスを測定することでユーザを認証することも可能である（生体インピーダンス取得手段）。この手法によれば、ヘッドホン装置が装着されると自動的に生体インピーダンスが測定され、ユーザ認証が行われることとなる。ただし、ユーザの生体インピーダンスは常に同じ値にはならないので、測定されたインピーダンスが基準値（初期登録値）に対して所定の範囲内にある場合に、特定のユーザとして認証するようにしてもよい。なお、生体インピーダンス取得手段における測定原理はいわゆる体脂肪計と同じであるので、詳細な構成については説明を省略する。
【００８０】
また、ヘッドホン装置のヘッドレストの長さを検知可能なセンサを設け、ヘッドレストの長さによってユーザを認証出来るようにしてもよい。さらに、複数の認証情報を組み合わせて判定することで、確実に特定のユーザを認証することが可能となる。
【００８１】
また、上記実施形態では、音質調整手段を、ヘッドホン装置か音声信号送信装置の何れか一方に設けているが、両方に設けるようにしてもよい。また、第２実施形態の変形例として、ヘッドホン装置１０’で認証情報の取得およびユーザ認証を行い、音声信号送信装置２０’で音質調整を行うように構成することもできる。
【００８２】
また、上記実施形態では、便宜上、音声再生装置と音声信号送信装置を別々に構成している例を挙げて説明したが、これらを一つの装置で構成することもできる。例えば、通信機能を備えた音声再生装置とすることもできる。また、上記実施形態では、認証情報に基づいてユーザを特定し、ユーザに応じて音質調整を行うようにしているが、ユーザに応じて音量調整もできるようにしてもよい。
【００８３】
さらに、本発明は、音声信号送信装置とヘッドホン装置とを有線接続により通信可能としたヘッドホンシステムにおいても適用できることはいうまでもない。また、音声再生装置３０から音声信号送信装置２０、２０’に入力される音声信号は、アナログ信号のほか、ディジタル信号が入力されるようにしてもよい。
【図面の簡単な説明】
【００８４】
【図１】第１実施形態に係るワイヤレスヘッドホンシステムの概略構成図である。
【図２】第１実施形態の音声信号送信装置２０の主要機能を示すブロック図である。
【図３】第１実施形態のヘッドホン装置１０の主要機能を示すブロック図である。
【図４】ヘッドホン装置１０において実行されるイコライザ設定処理（音質調整処理）について示したフローチャートである。
【図５】第２実施形態に係るワイヤレスヘッドホンシステムの概略構成図である。
【図６】第２実施形態の音声信号送信装置２０’の主要機能を示すブロック図である。
【図７】第２実施形態のヘッドホン装置１０’の主要機能を示すブロック図である。
【図８】ヘッドホン装置１０’において実行される認証情報送信処理について示したフローチャートである。
【図９】音声信号送信装置２０’において実行されるイコライザ設定処理（音質調整処理）について示したフローチャートである。
【符号の説明】
【００８５】
１０  ヘッドホン装置
１０１  アンテナ
１０２  ＲＦ部
１０３  ＢＢ／ＭＡＣ処理部
１０４  コーデック
１０５  Ｄ／Ａ変換部
１０６  アナログイコライザ（音質調整手段）
１０７  アンプ
１０８  スピーカ（音声出力手段）
１０９  制御部（ユーザ認証手段）
１１０  記憶部（記憶手段）
１１１  認証情報入力部（認証情報取得手段）
１１２  音質調整情報入力部
１１３  液晶表示部
【図１】
2008182509.tif 000003
【図２】
2008182509.tif 000004
【図３】
2008182509.tif 000005
【図４】
2008182509.tif 000006
【図５】
2008182509.tif 000007
【図６】
2008182509.tif 000008
【図７】
2008182509.tif 000009
【図８】
2008182509.tif 000010
【図９】
2008182509.tif 000011